(57)【要約】【課題】現場で枕木に穴をあけ作業を行うことなく、電気転てつ機を据付ける。【解決手段】  電気転てつ機２と転換鎖錠器３との組合せを設置する転てつ装置用枕木である。枕木本体１には、予め定められた定位置に電気転てつ機２及び転換鎖錠器３の取付けに専用に第１の固定座１８、第２の固定座１９を有している。電気転てつ機２及び転換鎖錠器３は、定型であり、それぞれに専用の固定座１８，１９に緊締具を用いて枕木本体１の定位置に固定される。【選択図】図１
2007314941.tif 000002
【特許請求の範囲】
【請求項１】
電気転てつ機と転換鎖錠器との組合せを設置する転てつ装置用枕木であって、
枕木本体には、予め定められた定位置に電気転てつ機及び転換鎖錠器の取付けに専用の固定座を有し、
電気転てつ機及び転換鎖錠器は、定型であり、それぞれに専用の固定座に緊締具を用いて枕木本体の定位置に固定されるものであることを特徴とする転てつ装置用枕木。
【請求項２】
枕木本体は、発泡樹脂の成形体であり、固定座を一体に有し、固定座は、転換鎖錠器の取付けのための緊締具を受け入れる受け部を含めて枕木本体に埋めこんで枕木本体と一体に形成されていることを特徴とする請求項１に記載の転てつ装置用枕木。
【請求項３】
緊締具は、ボルトあるいは金具であり、固定座は、電気転てつ機及び転換鎖錠器の取付けのための緊締具を受け入れるネジ穴，金具などの緊締具の受け部を有することを特徴とする請求項１に記載の転てつ装置用枕木。
【請求項４】
枕木本体は、発泡樹脂の成形体であり、固定座を一体に有し、固定座は、電気転てつ機の取付けのための緊締具を受け入れるネジ穴，支えなどの緊締具の受け部を含めて枕木本体に埋めこんで枕木本体と一体に形成されていることを特徴とする請求項１に記載の転てつ装置用枕木。
【請求項５】
固定座は、電気転てつ機の設置用の第１の固定座と、転換鎖錠器の取付け用第２の固定座とからなる金属板の成形体であり、第１の固定座及び第２の固定座の板面には、緊締具を受け入れる受け部を枕木本体と一体に備えていることを特徴とする請求項１に記載の転てつ装置用枕木。
【請求項６】
受け部は、枕木に埋め込まれた雌ネジのインサートを含み、ネジ穴が固定座の床面に開口され、
雌ネジのインサートのネジ穴は、電気転てつ機及び転換鎖錠器の取付けのため緊締具としてのボルトのネジ穴であることを特徴とする請求項２に記載の転てつ装置用枕木。
【請求項７】
緊締具の金具は、固定金具と、位置調整金具との組合せであり、固定金具と、位置調整金具とは、第１の固定座の板面の一側縁と他側縁とに取付けられ、
固定金具は、電気転てつ機の機体を定位置に支えてボルトで緊締されるものであり、
位置調整金具は、電気転てつ機の機体を固定金具側に押付けた状態で定位置にボルトで緊締されるものであることを特徴とする請求項３に記載の転てつ装置用枕木。
【請求項８】
第２の固定座は、板面に一定間隔をおいて、２条のガイドレールを有し、
２条のガイドレールは、転換鎖錠器の器体を定位置に保持するものであり、ガイドレールの両外側に、ガイドレールに保持された転換鎖錠器の器体を第２の固定座にネジ止めする雌ネジのインサートのネジ穴が開口されているものであることを特徴とする請求項３に記載の転てつ装置用枕木。
【請求項９】
２条のガイドレールは、基本レールに対する転換鎖錠器の器体の据付位置の設定の基準線となるものであることを特徴とする請求項８に記載の転てつ装置用枕木。
【発明の詳細な説明】
【技術分野】
【０００１】
本発明は、鉄道軌道の分岐器の転てつ装置を設置する枕木に関する。
【背景技術】
【０００２】
分岐器は、１つの線路から他の線路に、列車は車両を移動させる場合に、分岐器のトングレールを、左右いづれかの基本レールに密着させ、列車又は車両の通路ができる構造になっている。転てつ装置は、転換装置と鎖錠装置との組合せをいい、転換装置はトングレールを転換し、基本レールに密着させる装置であり、鎖錠装置は、密着状態のトングレールを、その位置に保持する装置である。
【０００３】
本線以外のポイントの転換に使用される電気転てつ機、例えばＹＳ形電気転てつ機は、転換鎖錠器（ＹＳ形）及び回路制御器（ＹＳ形）を併用し、背向割り出しが可能となっている。図７にＹＳ形電気転てつ機の設置状況を示す。電気転てつ機（ＹＳ形電気転てつ機）５１と、転換鎖錠器５２とを軌道に設置するに際しては、図７に示すように、トングレール５３ａ，５３ｂを支えて基本レール５４ａ，５４ｂの外側に張出した２本の枕木５５，５５に跨って２枚の敷板５６，５６を平行に張り渡し、敷板５６，５６上に電気転てつ機５１を載せ、爪ボルト５７を用いて電気転てつ機を枕木５５に固定し、転換鎖錠器５２は、爪ボルト５７を用いて基本レール５４ａ，５４ｂ間の枕木５５に直接固定していた。
【０００４】
転換鎖錠器５２の上部クランク５８は、リンク及び肘金６１を介してトングレール５３ａ，５３ｂの対に接続され、さらに、下部クランク５９は、オフセットリンク６０を介して電気転てつ機５１の転換クランクに連結されるが、電気転てつ機５１と、転換鎖錠器５２との据付けは現場作業であり、転換鎖錠器５２と、電気転てつ機５１との位置関係や転換鎖錠器５２とトングレール５３ａ，５３ｂとの位置関係の調整に手数を要する上、枕木５５にドリルで穴をあけたあと、枕木５５の下方の敷石を取り除いて枕木５５の下方に一定の大きさの空間を確保し、その空間から枕木に開口したボルト穴内に爪ボルト５７を差込み、転換鎖錠器５２及び電気転てつ機５１の締付座の穴を通して上方に突出させ、その突出端にナットを締め付けて固定していたため、その取付け作業が非常に厄介であるとされていた。
【０００５】
しかも、電気転てつ機５１及び転換鎖錠器５２の据付け後においては、基本レールとトングレール間に異物が介在したり、また、経年劣化が原因となって、電気転てつ機５１と転換鎖錠器５２との双方の位置がずれることがあり、据付け後において、適宜基本レールとトングレール間の密着力の再調整が必要とされていた。このような問題は、枕木を貫通するボルト穴内に爪ボルトを差込んで電気転てつ機と転換鎖錠器を枕木に緊締する構造のため、ボルト穴と爪ボルト間にどうしても隙間が形成され、この隙間の範囲内でのずれの影響は避けることができなかった。
【０００６】
ところで、敷板と電気転てつ機間の相対位置変化の影響を阻止し、ロック狂いを防止する対策として、枕木の長さ方向で見て電気転てつ機の一方向の一変動を阻止する第１の固定装置と、ネジの押圧力を受けて第１の固定装置によって定まる位置に電気転てつ機を常に位置決めする第２の固定装置とを用いた転てつ装置が特許文献１に紹介され、第１の固定装置と第２の固定装置とを用いることによって敷板と電気転てつ機との間の相対位置変化を防止する効果が強調されている。
【０００７】
また、特許文献２には、敷板を用いることの問題点を指摘して基本レールを載置している枕木の延長した部分に、直接電気転てつ機を据付ける装置を提案している。このように電気転てつ機を枕木に据付けるに際しては、位置決めや、敷板と電気転てつ機間の相対位置の変化を阻止すること、ロック狂いを防止すること、据付け，交換が簡単であること、タンピングの作用が容易であることなどが課題であるとされながらも、電気転てつ機の据付けに際しては、相変わらず現場作業で枕木に穴をあけ、その穴に爪ボルトを通し、電気転てつ機を爪ボルトにナットで締め付け固定していたのが実情であった。殊に転換鎖錠器と組合わせて電気転てつ機を設置する場合には、互いの位置関係を設定してそれぞれについて個別に枕木に取付けなければならない。
【特許文献１】特許公開平６−３４４９１２公報
【特許文献２】特許公開平１０−１７６３０１公報
【発明の開示】
【発明が解決しようとする課題】
【０００８】
解決しようとする問題点は、電気転てつ機の据付けに際し、殊に転換鎖錠器と組合わせて電気転てつ機を枕木に設置するに際しては、現場作業で枕木に穴をあけ、その穴に爪ボルトを通し、互いの位置関係を設定してそれぞれについて個別に枕木に取付けなければならなかった点である。
【課題を解決するための手段】
【０００９】
本発明は、転換鎖錠器と組合わせて電気転てつ機を枕木に設置するに際し、定型の電気転てつ機及び転換鎖錠器を用い、枕木には予め電気転てつ機及び転換鎖錠器の取付けに専用の固定座を定位置に有する枕木を用いることを最大の特徴とする。
【発明の効果】
【００１０】
本発明による転てつ装置用枕木によれば、枕木本体上の予め定められた位置に電気転てつ機及び転換鎖錠器に専用の固定座が設けられ、電気転てつ機及び転換鎖錠器をボルト，金具などの緊締具を用いて枕木本体の定位置に取り付けるため、従来のように現場にて枕木本体にボルトの取付けのための穴あけ作業の必要がなく、電気転てつ機及び転換鎖錠器の取付けに際しては、相互の位置決め及び取付けが容易であり、施工時間を短縮できる。また、電気転てつ機及び転換鎖錠器は、専用の固定座に強固に緊締されるため、異物の噛込みや、経年劣化の影響によっても、電気転てつ機と転換鎖錠器との双方に位置ずれが生じにくく、施工後の再調整の手数を簡略化できる。
【発明を実施するための最良の形態】
【００１１】
現場での穴あけ作業を行うことなく電気転てつ機及び転換鎖錠器の据付けを行うという目的を、定型化された電気転てつ機及び転換鎖錠器の組合わせと、予め定められた位置に、電気転てつ機及び転換鎖錠器を締め付け固定する固定座を有する枕木とを用いることによって実現した。
【実施例１】
【００１２】
（１）電気転てつ機及び転換鎖錠器と、トングレールとの関係について、
図１に、本発明による転てつ装置用枕木を用い、その枕木本体１上に電気転てつ機２及び転換鎖錠器３を設置した状態を示す。図１において、対をなす基本レール４ａ，４ｂは、レールブレスを用いて枕木５，５・・・上に固定され、対のトングレール６ａ，６ｂは、タイバー７でつながれ、特定の枕木５の上面に敷設された床板８上を摺動可能に設置されている。以下の実施例では、電気転てつ機としてＹＳ形電気転てつ機を改良したＮＹＳ形のものを適用した場合の例を説明する。
【００１３】
本発明による転てつ装置用枕木は、対のトングレール６ａ，６ｂの先端部分を横切り、その一側に大きく張出して配置されている。転換鎖錠器３は、対のトングレール６ａ，６ｂの間で、対をなす基本レール４ａ，４ｂの中心線Ｏ−Ｏ上に設置され、電気転てつ機２は、基本レール４ａ，４ｂの一側に張出した枕木本体１の張出し部分に設置されるものである。
【００１４】
転換鎖錠器３とトングレール６ａ，６ｂとは、転換鎖錠器３に備えた上部クランク９の各腕端と、リンク及び肘金１１にて連結することによって繋がれている。また、転換鎖錠器３は、上部クランク９と同軸上に下部クランク１０が取付けられており、この下部クランク１０と電気転てつ機２の機体の一方の転換クランク１２とがストレートリンク１３によって連結され、機体の他方の照査クランク１４，１５は、それぞれ大小の照査杆１６，１７によって、それぞれトングレール６ａ，６ｂにつながれている。
【００１５】
電気転てつ機２の転換クランク１２は、トングレール６ａ，６ｂの転換時に転回して転換鎖錠器３の下部クランク１０とともに、上部クランク９を一定角度転回させてトングレール６ａ，６ｂを転換させ、リンク及び肘金１１のピン穴中心ａ，ｂ点とクランク軸の中心ｃ点とを一直線に位置させ、トングレール６ａ，６ｂと直角に死点配列を構成して対向鎖錠を確保するのであるが、その転換動作は従来のものと全く同じであるので詳しい説明は省略する。大小の照査杆１６，１７は、基本レール４ａ，４ｂに対するトングレール６ａ，６ｂの転換終了を照査するためのものである。
【００１６】
（２）本発明の転てつ装置用枕木の構造
図２に本発明の転てつ装置用枕木の構造を示す。図２において、転てつ装置用枕木は、枕木本体１の上面に電気転てつ機２の設置用の固定座（以下第１の固定座１８という）と、転換鎖錠器取付け用の固定座（以下第２の固定座１９という）とを予め定めた位置に形成したものである。枕木本体１は、図１（ａ）に示すように基本レールの幅を跨り、一側に大きく張出させるに必要な長さを有しており、この実施例では合成樹脂発泡体にて一体成形されたものである。第１の固定座１８、第２の固定座１９は、金属板の成形体であり、緊締具であるボルトあるいは抑え金具を受け入れる受け部を有している。この実施例では、転換鎖錠器３の器体は、第２の固定座１９に直接ボルト締めされるが、電気転てつ機２の取付けに対して抑え金具を介してボルト締めされる例を示している。したがって、第１の固定座１８の板面には、電気転てつ機２の機体の抑え金具を定位置に支える部分を受け部として有している。
【００１７】
図２において、第１の固定座１８は、枕木本体１のくぼみ内に埋め込まれ、第１の固定座１８の両側には、雌ネジのインサート２０が本体部分内に埋め込まれ、インサート２０のネジ穴２１が、図２（ａ）の図上左側の第１の固定座１８の板面に開口している。図２において、第１の固定座１８の一側縁（図上左側）には、固定金具２２が設置され、他側縁には位置調整金具２３が設置される。固定金具２２は、インサート２０のネジ穴２１にねじ込んだボルト（六角ボルト）２５で緊締されて電気転てつ機２の機体を定位置に支え、位置調整金具２３は、ボルト（Ｔ型ボルト）２６で緊締されて、電気転てつ機２の機体を固定金具２２側に押付けた状態で支えるものである。なお、雌ネジのインサート２０は、固定金具２２の取付け用として第１の固定座１８の一側だけでなく、位置調整金具２３を設置する第１の固定座１８の他側に埋め込んでいるのは、枕木本体１の発泡成形時のバランスを保ち、歪を阻止するためであって、位置調整金具２３の取付けのために雌ネジのインサート２０が使用されるわけではない。この実施例では、発泡成形後、位置調整金具２３側に開口する雌ネジのインサート２０のネジ穴は、充填材にて塞いでいる。
【００１８】
図２において、第２の固定座１９は、枕木１の本体のくぼみ内に埋め込まれ、板面には、一定間隔をおいて、転換鎖錠器３の器体を定位置に保持する２条のガイドレール２４，２４を有し、両ガイドレール２４，２４の両外側には、ガイドレール２４に保持された転換鎖錠器の器体を第２の固定座１９にネジ止めする雌ネジのインサート２０のネジ穴２１が開口されている。
【００１９】
（３）電気転てつ機及び転換鎖錠器の機体の構成
本発明において、電気転てつ機２及び転換鎖錠器３の機体の外形は定型に成形され、電気転てつ機２及び転換鎖錠器３の機体及び器体は、それぞれ互換性を有し、いずれも機体及び器体の両側下縁には、側方に張出した締付座２ａ，２ｂ及び３ａ，３ｂを有している。後述するように電気転てつ機２の締付座２ａ，２ｂは、固定金具２２と位置調整金具２３とによって第１の固定座１８に取付けられ（図３参照）、転換鎖錠器の締付座３ａ，３ｂは、ボルト２５によって第２の固定座１９に取付けられる（図６参照）。
【００２０】
（４）電気転てつ機の取付け要領
図３に電気転てつ機の取付け要領を示す。図３（ａ）のように電気転てつ機２の機体の一方の締付座２ａは、予めボルト２５で固定された固定金具２２に挿入する。電気転てつ機２の機体の他方の締付座２ｂは、位置調整金具２３で挟んでボルト締めするが、ボルト締めに際し、このボルト（Ｔ形ボルト）２６の頭が、第１の固定座１８の床面に開口された保持溝２７に保持され、位置調整金具２３の穴に挿通され、その突出端を緩み止めを施したナット２８で締め付けることによって位置調整金具２３を定位置に固定保持している。
【００２１】
（４−１）固定金具の構造の詳細と第１固定座との関係
固定金具２２は、図４（ａ），（ｂ）に示すようにその一側（図上右側）の上縁を、電気転てつ機２の締付座２ａを上方から抑える押さえ縁２２ａとして前方に張出すとともに、その中央部位に凹部２２ｂを形成し、凹部２２ｂ内にキー２２ｃを突出させた略長方形のブロックであり、他側の下面には位置決め用の凸縁２２ｄが形成されている。この凸縁２２ｄを、図４（ｃ）に示す第１の固定座１８に形成された位置決め溝２９内にはめ込み、固定金具２２の上下に貫通するネジ差込孔内にボルト２５（六角ボルト）を挿入して第１の固定座１８の一側のネジ穴２１にねじ込む。この状態で、電気転てつ機２の締付縁２ａの中央に形成された切欠き（図３参照）にキー２２ｃに嵌合して枕木の幅方向に固定され、さらにボルト２５の緊締によって電気転てつ機２の締付縁２ａは、固定金具２２と一体的に固定される。
【００２２】
（４−２）位置調整金具の構造と、第１の固定座との関係
一方、図２において、第１の固定座１８の他側縁（図上右側）には、枕木１の幅方向に傾斜してクサビ面を形成する立上り部分３０が形成されており、その立上り部分３０の近傍には、前記保持溝２７と、キー溝３１とが開口され、第１の固定座１８の他側縁の外端近くには駒３２を上方に突出させている。位置調整金具２３は、図５に示すように一側縁に立上り部分３０のクサビ面に沿わせる傾斜面と、前記駒３２とクサビ方向に対応させて側方に張出した突出部２３ａとを有し、他側縁には、電気転てつ機２の締付縁２ｂを上方から抑える押さえ縁２３ｂを有する傾斜ブロックである。
【００２３】
位置調整金具２３のブロックの上面中央には、上下に貫通して前記Ｔ型ボルト２６を差込む長穴２３ｃが開口されている。また、位置調整金具２３の下面には、固定金具２２と同様に凸縁２３ｄを有し、この凸縁２３ｄは、図５（ｄ）のように枕木本体１を横切って第１の固定座１８の床面にあけられた位置決め溝３５に差込まれる。第１の固定座１８のキー溝３１と、電気転てつ機２の締付縁２ｂの切欠きとの位置を合致させて両者間に跨って固定キー３４を落とし込み、電気転てつ機２の締付縁２ｂとともに押さえ縁２３ｂの下方に自ずから形成される凹所３３内に受け入れる。
【００２４】
一方、第１の固定座１８の床面の保持溝２７に支えられた状態で起立させたボルト２６（Ｔ形ボルト）を位置調整金具２３の長穴２３ｃに差込み、図５（ｃ）のように位置調整金具２３の突出部２３ａに差込んだつなぎボルト３６を第１の固定座１８の駒３２を通してその突出端にナット３７をねじ込み、位置調整金具２３を駒３２側に引き寄せてクサビ面の開拡方向への移動を防止するとともにクサビ面の縮小方向に押付けつつ電気転てつ機２を固定金具２２側に押付け、Ｔ型ボルト２６の突出端をナット２８で締め付けて位置調整金具２３を第１の固定座１８の床面に圧接させる。これによって、電気転てつ機２は、固定金具２２と、位置調整金具２３とに支えられて定位置に安定に固定される。
【００２５】
（５）転換鎖錠器の取付け要領
転換鎖錠器３を据付ける第２の固定座１９には、図２に示すように、転換鎖錠器３の器体を支える２条のガイドレール２４，２４を床面から突出させて平行に有し、両ガイドレール２４，２４の両外側の床面には、枕木１の本体内に埋め込まれた雌ネジのインサート２０のネジ穴２１の対を開口させている。転換鎖錠器３は、図６に示すように、その器体の両側縁に張出させた締付座３ａ，３ｂに、それぞれの雌ネジのインサート２０の位置と対応させて長穴を有している。転換鎖錠器３の器体を枕木１の第２の固定座１９の２条のガイドレール２４，２４に跨らせることによって、これを第２の固定座１９の床面に導入し、締付座３ａ，３ｂの長穴を通してボルト２５を雌ネジのインサート２０内にねじ込んで転換鎖錠器３の器体を第２の固定座１９の定位置に定着させる。なお図示を簡略化するため、図６では、転換鎖錠器に備えた上部クランクや下部クランクについては、図示を省略している。
【００２６】
（６）リンク類の取付け
軌道の基本レール４ａ，４ｂに対する転換鎖錠器３の据付け位置を確認したあと、転換鎖錠器の上部クランク９と、トングレール６ａ，６ｂ間をリンク及び肘金１１で連結し、下部クランク１０と電気転てつ機２の転換クランク１２との間をストレートリンク１３で連結し、さらに、電気転てつ機２の照査クランク１４，１５と、トングレール６ａ，６ｂとをそれぞれ大小の照査杆１６，１７でつないで転てつ装置の設置を完了する（図１参照）。
【００２７】
なお、軌道の基本レールに対する転換鎖錠器３の位置決めに際しては、第２の固定座１９に形成された２条のガイドレール２４，２４は、基本レール４ａ，４ｂに対する転換鎖錠器３の器体の据付位置の設定の基準線に利用することができる。この実施例では、２条のガイドレール２４，２４の各外縁を基準線とし、各ガイドレール２４，２４と対面する基本レール４ａ，４ｂの間の距離が等距離になるような位置に設定して転換鎖錠器３を第２の固定座１９に据付ければ、転換鎖錠器３は、自ずから対をなす基本レール４ａ，４ｂの中心線上に据付けることができる。
【産業上の利用可能性】
【００２８】
本発明によれば、金具，ボルトなどの締付具を用い、枕木と一体成形された固定座に電気転てつ機と転換鎖錠器を取り付けるため、現場で枕木の穴あけ作業や、電気転てつ機と転換鎖錠器との相互の関係の調整作業は不用であり、また基本レールに対する転換鎖錠器の位置の調整を容易に行うことができる。以上実施例ではＮＹＳ形電気転てつ機の取付け例を説明したが、本発明は他の形式の電気転てつ機についても同様に適用できる。
【図面の簡単な説明】
【００２９】
【図１】（ａ）は本発明の転てつ装置用枕木本体に電気転てつ機と転換鎖錠器を据付けた状態を示す平面図、（ｂ）は、（ａ）のＡ−Ａ線断面図である。（ｃ）は、（ａ）のＢ−Ｂ線断面図である。
【図２】（ａ）は本発明の枕木の平面図、（ｂ）は（ａ）の中央縦断面図である。
【図３】（ａ）は電気転てつ機を枕木の第１の固定座に取付けた状態を示す図、（ｂ）は（ａ）の中央縦断面図である。
【図４】（ａ）は固定金具の平面図、（ｂ）は（ａ）のＣ−Ｃ線断面図、（ｃ）は、固定金具を枕木に取付けて電気転てつ機を固定した状態を示す要部の断面図である。
【図５】（ａ）は位置調整金具の平面図、（ｂ）は同側面図、（ｃ），（ｄ）は位置調整金具を枕木に取付けて電気転てつ機を固定した状態を示す要部の側面図である。
【図６】転換鎖錠器を枕木の第２の固定座に取付けた状態を示す図、（ｂ）は（ａ）のＤ−Ｄ線断面図である。
【図７】（ａ）は従来の転てつ装置の設置例を示す平面図、（ｂ）は同側面断面図である。
【符号の説明】
【００３０】
１  枕木本体
２  電気転てつ機
２ａ，２ｂ  締付座
３  転換鎖錠器
３ａ，３ｂ  締付座
４ａ，４ｂ  基本レール
５  枕木
６ａ，６ｂ  トングレール
７  タイバー
８  床板
９  上部クランク
１０  下部クランク
１１  リンク及び肘金
１２  転換クランク
１３  ストレートリンク
１４，１５  照査クランク
１６  大照査杆
１７  小照査杆
１８  第１の固定座
１９  第２の固定座
２０  インサート
２１  ネジ穴
２２  固定金具
２２ａ  押さえ縁
２２ｂ  凹部
２２ｃ  キー
２２ｄ  凸縁
２３  位置調整金具
２３ａ  突出部
２３ｂ  押さえ縁
２３ｃ  長穴
２３ｄ  凸縁
２４  ガイドレール
２５  六角ボルト
２６  Ｔ型ボルト
２７  保持溝
２８  ナット
２９  位置決め溝
３０  立上り部分
３１  キー溝
３２  駒
３３  凹所
３４  固定キー
３５  位置決め溝
３６  ボルト
３７  ナット
ａ  リンクのピン穴中心
ｂ  肘金１１のピン穴中心
ｃ  クランク軸の中心
【図１】
2007314941.tif 000003
【図２】
2007314941.tif 000004
【図３】
2007314941.tif 000005
【図４】
2007314941.tif 000006
【図５】
2007314941.tif 000007
【図６】
2007314941.tif 000008
【図７】
2007314941.tif 000009